(57)【要約】      （修正有）【課題】連続紙に印刷するプリンターにおいて、ユーザーが印刷済みのページを切断する前に次の印刷のための記録紙のバックフィードが開始されてしまう事態の発生を抑制すること。【解決手段】プリンターは、ファンフォールド紙から繰り出した記録紙を搬送経路に沿って搬送しながら印刷を行い、印刷後に、記録紙排出口の近傍のカッターで記録紙を切断する。制御部は、印刷が終了すると、印刷済みページの後端のミシン目を印刷位置に位置合わせし、位置合わせが完了した状態で記録紙を保持させたティアオフ状態を形成する。このティアオフ状態で新たな印刷データを受信したときには、予め設定した待機時間が経過するまでの間は、記録紙の搬送動作を禁止してティアオフ状態を継続し、待機時間が経過した後に直ちに記録紙をバックフィードさせて、次の印刷のための頭出しを行う。【選択図】図４
2011079215.tif 000002
【特許請求の範囲】
【請求項１】
長尺状の記録媒体を搬送経路に沿って搬送し、当該搬送経路上の印刷手段の印刷位置の下流側にある切断手段により、前記記録媒体の切断を可能とするプリンターの搬送制御方法であって、
前記プリンターは、
印刷が終了すると、前記記録媒体上の切断目標位置を前記搬送経路上の前記切断手段の切断位置まで搬送する位置合わせ動作を行い、当該位置合わせ動作が完了した位置合わせ状態で待機し、
前記位置合わせ状態で印刷データを受信したときには、当該受信から予め設定した待機時間が経過するまでの間は、前記位置合わせ状態を継続することを特徴とする記録媒体の搬送制御方法。
【請求項２】
請求項１において、
前記位置合わせ状態で前記印刷データを受信したときには、前記記録媒体上の印刷開始位置を前記印刷位置まで搬送して戻す復帰動作を、前記待機時間が経過してから行うことを特徴とする記録媒体の搬送制御方法。
【請求項３】
請求項２において、
前記位置合わせ状態において、前記プリンターにおける操作手段の操作が行われるか、もしくは、前記プリンターに接続されている上位装置から復帰コマンドが入力されたときには、前記復帰動作を開始することを特徴とする記録媒体の搬送制御方法。
【請求項４】
請求項３において、
前記位置合わせ状態において、前記操作手段の延長操作が行われるか、もしくは、前記上位装置から延長コマンドが入力されたときには、
前記操作手段の延長解除操作が行われるか、もしくは、前記上位装置から延長解除コマンドが入力されるまでの間は、前記位置合わせ状態を継続することを特徴とする記録媒体の搬送制御方法。
【請求項５】
請求項１ないし４のいずれかの項において、
前記位置合わせ状態で印刷データを受信してから前記待機時間が経過するまでの間は前記位置合わせ状態を継続する第１動作モード、および、前記位置合わせ状態で印刷データを受信したとき、前記記録媒体上の印刷開始位置を前記印刷位置まで戻す復帰動作を行う第２動作モードを含む複数の動作モードのいずれか一つを、前記プリンターの動作モードとして選択的に設定可能にしておくことを特徴とする記録媒体の搬送制御方法。
【請求項６】
請求項１ないし５のいずれかの項において、
前記位置合わせ動作を、前記上位装置から入力される位置合わせ開始コマンドに基づいて行うことを特徴とする記録媒体の搬送制御方法。
【請求項７】
請求項１ないし６のいずれかの項において、
前記位置合わせ動作の実行タイミング、前記待機時間に移行するタイミング、前記位置合わせ状態を終了するタイミング、前記位置合わせ状態を延長するタイミングの少なくともいずれかにおいて、前記プリンターを鳴動させることを特徴とする記録媒体の搬送制御方法。
【請求項８】
長尺状の記録媒体を搬送経路に沿って搬送する搬送手段と、
前記搬送経路上の印刷位置において前記記録媒体への印刷を行う印刷手段と、
前記搬送経路上の切断位置において前記記録媒体を切断可能な切断手段と、
請求項１ないし７のいずれかの記録媒体の搬送制御方法を行う制御部とを有することを特徴とするプリンター。
【発明の詳細な説明】
【技術分野】
【０００１】
本発明は、長尺状の記録媒体に印刷を行うプリンターに関し、特に、印刷後には記録媒体の切断位置をカッター位置まで前進させて切断を可能にし、次の印刷を行うときには、記録媒体を後退させて次の印刷開始位置をヘッドによる印刷位置に位置合わせする記録媒体の搬送制御方法およびプリンターに関する。
【背景技術】
【０００２】
プリンターにより印刷される記録媒体として、長尺状の記録紙をロール状に巻いたロール紙や、１ページの長さ毎に切り取り用のミシン目が入っている記録紙をミシン目の位置で折り畳んだファンフォールド紙などが用いられている。ファンフォールド紙を用いるプリンターでは、通常、印刷終了後に、スイッチを押し、印刷済みページの後端のミシン目をカッターによる切断位置まで前進させて記録紙を切断できるようにし、その後に、スイッチを押し、次の印刷に備えて次ページの印刷領域の先頭をヘッドによる印刷位置までバックフィードさせる頭出し動作を行う。また、ロール紙を用いる場合においても、同様に、記録紙における印刷済み領域の後方に設定されている切断目標位置をカッターによる切断位置まで前進させて記録紙を切断できるようにし、その後に、次の印刷に備えて記録紙をバックフィードさせている。
【０００３】
特許文献１には、ファンフォールド紙やロール紙に印刷するプリンターが開示されている。特許文献１のプリンターでは、印刷が終了したときに印刷済みページの後端の切断目標位置をカッターによる切断位置まで自動で前進させて保持させるいわゆるティアオフ（Ｔｅａｒ  Ｏｆｆ）動作を行う。このような構成では、ユーザーが手動操作によって記録紙を切断位置まで前進させる必要がなく、自動で切断位置まで送りだされた印刷物を引っ張る、あるいはカッター操作レバーを操作するなどのカット作業を行うだけで、記録紙を切断することができる。
【先行技術文献】
【特許文献】
【０００４】
【特許文献１】特開２００７−３２０１３４号公報
【発明の概要】
【発明が解決しようとする課題】
【０００５】
特許文献１のプリンターでは、ユーザーが記録紙を切断した後も記録紙をそのまま前進位置で待機させておき、次の印刷データを受信したときに、切断位置からヘッドによる印刷位置まで記録紙をバックフィードさせる自動復帰動作を行う。
【０００６】
ここで、上記のようなティアオフ動作を行った後、印刷データを受信したら直ちに記録紙を自動復帰させるプリンターを、複数のユーザーで使用する場合、一人のユーザーの印刷ジョブが終了してティアオフ動作を実行した直後に別のユーザーからの印刷データを受信すると、前のユーザーが印刷済みのページをまだ切断していないにもかかわらず記録紙のバックフィードが始まってしまい、次の印刷ジョブが始まる前に印刷済みのページを切断できないおそれがある。あるいは、前のユーザーのカット作業中にバックフィードが始まってしまったことにより、紙ジャムやミシン目などの切断目標位置からずれた位置で記録紙が切断されてしまうおそれがある。また、一人のユーザーが複数の印刷ジョブを送った場合も同様の課題がある。
【０００７】
本発明の課題は、このような点に鑑みて、印刷ジョブ終了時にティアオフ動作を実行するプリンターにおいて、ユーザーが印刷済みのページを切断する前に記録紙のバックフィードが開始されてしまうことによる不具合を抑制可能なプリンター、および記録媒体の搬送制御方法を提案することにある。
【課題を解決するための手段】
【０００８】
上記の課題を解決するために、本発明は、
長尺状の記録媒体を搬送経路に沿って搬送し、当該搬送経路上の印刷手段の印刷位置の下流側にある切断手段により、前記記録媒体の切断を可能とするプリンターの搬送制御方法であって、
前記プリンターは、
印刷が終了すると、前記記録媒体上の前記切断手段の切断目標位置を前記搬送経路上の切断位置まで搬送する位置合わせする位置合わせ動作を行い、当該位置合わせ動作が完了した位置合わせ状態で待機し、
前記位置合わせ状態で印刷データを受信したときには、当該受信から予め設定した待機時間が経過するまでの間は、前記位置合わせ状態を継続することを特徴としている。
【０００９】
本発明は、このように、位置合わせ状態で新たな印刷データを受信すると、予め設定した待機時間が経過するまでの間は位置合わせ状態を継続するようにしている。このようにすれば、印刷ジョブ終了直後に次の印刷データを受信しても、すぐには記録媒体のバックフィードを開始させず、少なくとも待機時間の間は記録媒体を切断可能な位置に保持したままにしておくことができる。よって、ユーザーが印刷済みの記録媒体を切断する前、あるいは切断中に次の印刷ジョブのための搬送動作が始まってしまうことを抑制できる。これにより、複数のユーザーが１台のプリンターを共有する場合においても、印刷済みページの切断作業に関する各ユーザーの利便性を向上させることができる。また、前の印刷済みページが切断されずに次のページへの印刷が始まってしまうことによる不具合を抑制できる。また、一人のユーザーが複数の印刷ジョブを送った場合の同様の不具合も抑制できる。
【００１０】
本発明において、前記位置合わせ状態で前記印刷データを受信したときには、前記記録媒体上の印刷開始位置を前記印刷位置まで搬送して戻す復帰動作を、前記待機時間が経過してから行うことが望ましい。このように、待機時間の経過後には復帰動作を行うようにしておけば、ユーザーが切断作業を行う時間を確保しつつ、次の印刷ジョブに備えて記録媒体の頭出し（記録媒体上の次の印刷開始位置を印刷手段の位置に合うように搬送すること）を完了させておくことができる。よって、次の印刷ジョブを速やかに開始することができる。
【００１１】
また、前記位置合わせ状態において、前記プリンターにおける操作手段の操作が行われるか、もしくは、前記プリンターに接続されている上位装置から復帰コマンドが入力されたときには、前記復帰動作を開始する構成にすることができる。例えば、復帰操作を、前記プリンターにおける前記位置合わせ動作の手動開始スイッチの操作とすることができる。このようにすれば、待機時間中においてもユーザーが必要に応じて位置合わせ状態を終了して復帰動作を開始させることができる。よって、ユーザーが素早く記録媒体を切断した場合などに、待機時間が経過するまで待つ必要がなくなり、次の印刷ジョブを速やかに開始することができる。
【００１２】
ここで、前記位置合わせ状態において、前記操作手段の延長操作が行われるか、もしくは、前記上位装置から延長コマンドが入力されたときには、前記操作手段の延長解除操作が行われるか、もしくは、前記上位装置から延長解除コマンドが入力されるまでの間は、前記位置合わせ状態を継続する構成にすることができる。このようにすれば、ユーザーが必要に応じて所望の時間だけ位置合わせ状態を延長できるので、ユーザーがすぐ記録媒体を切断しない場合などにも、所望の時間だけ位置合わせ状態で待機させておくことができる。そして、延長解除操作や延長解除コマンドなどによって所望のタイミングで位置合わせ状態を終了し、次の印刷ジョブに備えることができる。
【００１３】
このとき、前記延長操作を前記プリンターにおける印刷一時停止スイッチの操作とし、前記延長解除操作を前記プリンターにおける前記位置合わせ動作の手動開始スイッチの操作とすることができる。印刷一時停止と延長は同時に発生することがないので、１つのスイッチを兼用することができる。また、位置合わせ状態の手動開始と延長解除も同時に発生することがないので、１つのスイッチを兼用することができる。よって、このような構成により、部品点数の削減を図ることができる。
【００１４】
本発明において、前記位置合わせ状態で印刷データを受信してから前記待機時間が経過するまでの間は前記位置合わせ状態を継続する第１動作モード、および、前記位置合わせ状態で印刷データを受信したとき、前記記録媒体上の印刷開始位置を前記印刷位置まで戻す復帰動作を行う第２動作モードを含む複数の動作モードのいずれか一つを、前記プリンターの動作モードとして選択的に設定可能にしておく構成にすることができる。このようにすれば、設定によって待機時間の有り無しを選択できる。よって、例えば、複数のユーザーがこのプリンターを使用するときには第１動作モードに設定しておき、印刷済みページの切断作業に関する各ユーザーの利便性を向上させることができる。一方で、単独のユーザがこのプリンターを使用するときには第２動作モードに設定しておき、待機時間を設定したことによる印刷処理の遅れなどを抑制できる。
【００１５】
ここで、前記位置合わせ動作を、前記上位装置から入力される位置合わせ開始コマンドに基づいて行う構成にすることもできる。このようにすれば、プリンター側で位置合わせ実行条件の成否を判断する必要がない。よって、プリンター側の制御が複雑化しない。
【００１６】
また、前記位置合わせ動作の実行タイミング、前記待機時間に移行するタイミング、前記位置合わせ状態を終了するタイミング、前記位置合わせ状態を延長するタイミングの少なくともいずれかにおいて、前記プリンターを鳴動させることが望ましい。このようにすれば、印刷済みページを切断可能になったときにユーザーにそのことを知らせて切断を促すことができるので、速やかに切断作業を行うことができる。また、待機時間の開始時点でそのことをユーザーに認識させて切断作業を促し、待機時間中に切断作業が完了しないという事態の発生を抑制できる。また、位置合わせ状態が延長されたときや、待機時間が終了して次の印刷ジョブのための頭出し作業が行われるときにもユーザーがそのことを知ることができるので、ユーザーが状況に応じて行動でき、無駄な行動をすることがなくなる。
【００１７】
次に、本発明のプリンターは、
長尺状の記録媒体を搬送経路に沿って搬送する搬送手段と、
前記搬送経路上の印刷位置において前記記録媒体への印刷を行う印刷手段と、
前記搬送経路上の切断位置において前記記録媒体を切断可能な切断手段と、
上記各構成の記録媒体の搬送制御方法を行う制御部とを有することを特徴としている。
【発明の効果】
【００１８】
本発明によれば、印刷ジョブ終了直後に次の印刷データを受信しても、すぐには記録媒体のバックフィードを開始させず、少なくとも待機時間の間は記録媒体を切断可能な位置に保持したままにしておくことができる。よって、ユーザーが印刷済みの記録媒体を切断する前、あるいは切断中に次の印刷ジョブのための搬送動作が始まってしまうことを抑制できる。これにより、複数のユーザーが１台のプリンターを共有する場合においても、印刷済みページの切断作業に関する各ユーザーの利便性を向上させることができる。また、前の印刷済みページが切断されずに次のページへの印刷が始まってしまうことによる不具合を抑制できる。また、一人のユーザーが複数の印刷ジョブを送った場合の同様の不具合も抑制できる。
【図面の簡単な説明】
【００１９】
【図１】本発明を適用したプリンターの主要部分の概略構成を示す説明図である。
【図２】プリンターの制御系を示す概略ブロック図である。
【図３】ティアオフ状態（位置合わせ状態）および頭出し状態の説明図である。
【図４】第１動作モードにおけるプリンターの状態遷移図である。た状態を示す説明図である。
【発明を実施するための形態】
【００２０】
以下に、図面を参照して、本発明のプリンターおよび当該プリンターにおける記録媒体の搬送制御方法を説明する。
【００２１】
（プリンターの全体構成）
図１は本実施形態に係るカッター付きプリンターの主要部分の概略構成を示す説明図である。プリンター１は、一定長さ毎に付されたミシン目位置で折り畳まれた状態のファンフォールド紙を装填するための記録紙装填部（図示せず）を備えている。装填されたファンフォールド紙から繰り出される記録紙２は、搬送機構３（搬送手段）により、プリンター１内の搬送経路Ａ（記録紙２を示す一点鎖線と同一の経路）に沿って搬送され、記録紙排出口４から排出される。搬送経路Ａ上には、プラテン５および記録ヘッド６（印刷手段）が対向配置されており、このプラテン５および記録ヘッド６によって記録紙２への印刷位置Ｂが規定されている。本実施形態の記録ヘッド６は、インクリボンに記録ワイヤを打ち当ててインクリボンのインクを記録紙２に付着させて印刷するシリアル・インパクト・ドット・マトリクス（ＳＩＤＭ）プリントヘッドとして構成されている。なお、記録ヘッド６として、インクジェットヘッドなどの他の印刷方法に用いるものを用いても良い。
【００２２】
搬送機構３は、プラテン５の前端側と後端側の２箇所において記録紙２を把持する紙送りローラー対３Ａ、３Ｂを備えており、これらの紙送りローラー対３Ａ、３Ｂを紙送りモーター３Ｃによって同期して正逆方向に回転させることにより、記録紙２を前進方向または後退方向に搬送している。
【００２３】
搬送経路Ａにおける記録紙排出口４の近傍にはカッター７（切断手段）が配置されており、このカッター７によって記録紙２の切断位置Ｃが規定されている。本実施形態のカッター７は、搬送経路Ａ上の記録紙２に刃先を向けて取り付けられているマニュアルカッター（ティアオフバー）である。ユーザーは、記録紙排出口４から排出されている印刷済みページを手で持ってカッター７の刃先に記録紙２を押し付ける側に記録紙２を引っ張ることにより、記録紙２を切断位置Ｃにおいて幅方向に切断することができる。
【００２４】
なお、カッター７を可動刃および固定刃を備える鋏式の構成にしておき、プリンター１の外装ケースに設けられたカッター操作レバーの操作に基づいて可動刃を作動させる構成にしてもよい。この場合には、記録紙２が切断位置Ｃに位置合わせされた状態でユーザーがカッター操作レバーを操作することにより、切断位置Ｃにおいて記録紙２を幅方向に切断することができる。
【００２５】
図２はプリンターの制御系を示す概略ブロック図である。制御系は、ＣＰＵ、ＲＯＭ、ＲＡＭなどを含むＭＰＵを中心に構成されている制御部８を備えている。制御部８には、搬送経路Ａに沿って配置されている記録紙センサー、プリンター１の開閉カバーの開閉状態を検出するための開閉センサー、などを含む各種のセンサー群９からの検出信号が供給される。また、制御部８には、プリンター１の外装ケースなどに配置されている操作部１０からの各種の操作信号が供給される。更に、制御部８には、プリンター１に接続された、あるいはプリンター１と通信可能な上位装置１１からの印刷データや各種コマンドなどが供給される。制御部８は、これらの検出信号や操作信号、印刷データなどに基づいてプリンター１の各部を制御する。
【００２６】
制御部８は、印刷ジョブを行うときには、上位装置１１から供給された印刷データに基づき、記録紙２の搬送に同期させて記録ヘッド６を搭載したキャリッジおよび記録ヘッド６を駆動し、各印刷ジョブにおける印刷動作を制御する。
【００２７】
プリンター１の操作部１０（操作手段）にはポーズスイッチ１０ａ（印刷一時停止スイッチ）が設けられている。制御部８は、印刷動作を行っているときにポーズスイッチ１０ａが押下された旨の操作信号が供給されると、記録ヘッド６および搬送機構３を停止させて印刷動作を中止する。また、操作部１０にはティアオフスイッチ１０ｂ（ティアオフ動作の手動開始スイッチ）が設けられている。ティアオフスイッチ１０ｂは、後述するティアオフ動作をユーザーが任意のタイミングで開始させるためのスイッチである。また、プリンター１にはブザー１２が設けられており、制御部８は、所定のタイミングでブザー１２を鳴動させる制御を行う。
【００２８】
（印刷ジョブ終了後の記録紙の搬送制御）
図３（ａ）は記録紙の切断目標位置をカッターによる切断位置に位置合わせした状態（ティアオフ状態（位置合わせ状態））の説明図、図３（ｂ）は記録紙の印刷開始位置を記録ヘッドによる印刷位置に位置合わせした状態（頭出し状態）の説明図である。本実施形態のプリンター１は、印刷ジョブが終了すると、遅滞なく自動でティアオフ動作（位置合わせ動作）を開始して、図３（ａ）に示すように、印刷済みページの後端であるミシン目２ａの位置を切断位置Ｃに位置合わせして、この位置で記録紙２を保持させたティアオフ状態を形成する。ユーザーは、ティアオフ状態において記録紙２のカット操作を行えば、停止状態の記録紙２を、切断目標位置において容易かつ正確に切断することができる。
【００２９】
本実施形態では、予め、形成したティアオフ状態を終了させて搬送機構３による記録紙２の搬送を可能にするためのティアオフ復帰条件を制御部８のメモリに複数記憶させておき、これらのティアオフ復帰条件のどれを用いるかをプリンター１の動作モードとして設定しておく。動作モードの設定は、上位装置１１からの設定コマンドにより行うことができるが、プリンター１に設けられたメモリスイッチなどの操作によって動作モードを設定することも可能である。制御部８は、ティアオフ動作を行うときには、設定されている動作モードに対応するティアオフ復帰条件をメモリから読み出し、この復帰条件に従ってティアオフ状態を終了させる。本実施形態では、以下に説明する第１動作モードと第２動作モードの２つの動作モードのいずれかを選択して設定することができる。
【００３０】
（第１動作モード）
第１動作モードは、ティアオフ状態において新たな印刷データを受信したときには、この印刷データの受信から予め設定した待機時間が経過することをティアオフ復帰条件とするものである。これに加えて、上記の待機時間中も含めたティアオフ状態中には、所定のティアオフ復帰操作が行われること、もしくは、上位装置１１からのティアオフ復帰コマンドが入力されることをティアオフ復帰条件とするものである。第１動作モードにおける待機時間は、動作モードを設定する際に、１秒〜３０秒の範囲の任意の値に設定することが可能である。なお、待機時間のデフォルト値を設定しておき、第１動作モードを選択すると、自動的に待機時間がデフォルト値に設定されるように構成しておくこともできる。
【００３１】
図４は、第１動作モードにおけるプリンターの状態遷移図である。第１モードでは、制御部８は、印刷ジョブが終了する毎に、印刷データと共に受信したティアオフ開始コマンド、あるいは印刷ジョブの終了に基づいて上位装置１１から入力されたティアオフ開始コマンドに基づき、遅滞なくティアオフ動作を開始してティアオフ状態（状態１）に移行する。なお、印刷ジョブの終了をティアオフ動作の開始条件とする制御プログラムを制御部８のメモリに記憶させておき、この制御プログラムに基づいてティアオフ動作を開始してもよい。
【００３２】
ティアオフ状態において、上位装置１１から新たな印刷データを受信すると、制御部８は、記録紙２の搬送動作を禁止してティアオフ状態を継続している待機状態に入る（状態２）。待機状態では、制御部８が印刷データの受信時点からの経過時間を監視しており、設定した待機時間が経過すると、待機状態を終了して、次の印刷ジョブに備えて記録紙２の頭出しを行う自動復帰動作を開始する。この自動復帰動作は、記録紙２をバックフィードして、印刷済みページの次のページにおける印刷開始位置２ｂ（図３（ａ）（ｂ）参照）を印刷位置Ｂまで後退させる記録紙２の搬送動作である。ここで、印刷開始位置２ｂは、図３（ａ）に示すように、印刷済みページの後端であるミシン目２ａの位置から、各ページのトップマージンである長さｄだけ後方に位置している。自動復帰動作の完了により、プリンター１は、記録紙２への印刷を遅滞なく開始可能な頭出し状態（状態３）となる。
【００３３】
ここで、第１動作モードでは、印刷ジョブを受信する前（状態１）および受信後の待機時間中（状態２）において、所定のティアオフ復帰操作が行われるか、もしくは、上位装置１１からティアオフ復帰コマンドが入力されたときには、直ちにティアオフ状態を終了して自動復帰動作を開始する。本実施形態では、ティアオフ復帰操作を、ティアオフスイッチ１０ｂの押下としている。つまり、制御部８は、待機時間中であっても、ティアオフスイッチ１０ｂの押下が行われた旨の操作信号が供給されるか、あるいは、ティアオフ復帰コマンドを受信したときには、待機時間前にティアオフ状態を終了して、直ちに自動復帰動作を行い、頭出し状態（状態３）を形成して印刷動作を可能にする。
【００３４】
また、第１モードでは、ティアオフ状態を無期限に継続するためのティアオフ延長条件が設定されており、延長後は、所定のティアオフ延長解除条件が充足されるまでティアオフ状態を継続する。本実施形態では、ティアオフ延長条件を、ポーズスイッチ１０ａが押下されること、あるいは、上位装置１１からティアオフ延長コマンドが入力されることとしている。そして、延長解除条件を、ティアオフスイッチ１０ｂが押下されること、あるいは、上位装置１１からティアオフ延長解除コマンドが入力されることとしている。
【００３５】
制御部８は、印刷ジョブを受信する前（状態１）および受信後の待機時間中（状態２）において、ポーズスイッチ１０ａの押下が行われた旨の操作信号が供給されるか、あるいは、ティアオフ延長コマンドを受信すると、その時点から、無期限のティアオフ延長状態（状態４）に入る。制御部８は、この延長状態では、自動復帰動作を含む記録紙２の搬送動作を禁止しているので、記録紙２を頭出し状態にすることができず、印刷を行うことができない。このティアオフ延長状態は、ティアオフスイッチ１０ｂの押下が行われた旨の操作信号あるいはティアオフ延長解除コマンドの受信に基づいて解除される。解除後は、直ちに自動復帰動作が行われ、頭出し状態（状態３）が形成されて印刷動作が可能になる。
【００３６】
第１動作モードでは、制御部８は、ティアオフ動作の実行に連動してブザー１２を鳴動させ、ティアオフ状態（状態１）に入ったことをユーザーに認識させる。また、上記の状態１〜４の各状態間の遷移タイミングでブザー１２を鳴動させ、プリンター１の制御状態が遷移したことをユーザーが認識できるようにする。具体的には、印刷データを受信して待機状態に入るとき（状態１から状態２への遷移時）、待機時間が経過して自動復帰動作を開始するとき（状態２から状態３への遷移時）、ティアオフスイッチ１０ｂの押下に基づいて自動復帰動作を開始するとき（状態１、２から状態３への遷移時）、ポーズスイッチ１０ａの押下によりティアオフ延長状態に入るとき（状態１、２から状態４への遷移時）、再度ポーズスイッチ１０ａを押下したことによりティアオフ延長状態を解除したとき（状態４から状態３への遷移時）の各タイミングで、ブザー１２を鳴動させる。
【００３７】
このように、プリンター１における第１動作モードは、印刷ジョブを受信してもすぐには搬送機構３を駆動せず、待機時間の間は記録紙２を停止させたままにしている。よって、例えば、複数のユーザーがプリンター１を共有する場合においても、あるユーザーが自分の印刷ページを切断し終わる前に別のユーザーが印刷データを送信して頭出しのための記録紙２のバックフィードが始まってしまうことを抑制でき、各ユーザーの利便性を向上させることができる。また、必要に応じて、ポーズスイッチ１０ａやティアオフスイッチ１０ｂの操作、上位装置１１からのコマンド送信などによってティアオフ状態を終了あるいは延長できるので、状況に応じて待機時間を短縮して印刷処理の遅れを抑制したり、ユーザーの都合に応じて次の印刷ジョブの開始タイミングを変更することができる。
【００３８】
（第２動作モード）
第２動作モードは、ティアオフスイッチ１０ｂの操作信号が制御部８に供給されること（ティアオフ復帰操作が行われること）、上位装置１１からのティアオフ復帰コマンドが入力されること、もしくは、新たな印刷データを受信したことをティアオフ復帰条件とするものである。第２動作モードでは、第１動作モードと同様に、印刷ジョブが終了する毎に自動でティアオフ動作が行われ、ティアオフ状態に移行する。第２動作モードのティアオフ状態は、上記のティアオフ復帰条件を充足するまでは無期限に継続され、これらの復帰条件が充足されると、直ちに上記の自動復帰動作が開始される。
【００３９】
すなわち、第２動作モードでは、待機時間の設定がないので、従来どおりに、新たな印刷ジョブを受信したら遅滞なく自動復帰動作を開始することができる。また、第２動作モードでは、第１動作モードと同様に、ティアオフ動作の実行時や自動復帰動作の開始時などの状態遷移時に、ブザー１２を鳴動させるので、これらのタイミングでユーザーの注意を喚起できる。
【００４０】
このように、プリンター１では、予め動作モードの設定を行うことにより、待機時間の有り無しを選択できる。よって、例えば、複数のユーザーがこのプリンター１を使用するときには第１動作モードに設定しておけば、印刷済みページの切断作業に関する各ユーザーの利便性を向上させることができる。一方で、単独のユーザーがこのプリンター１を使用するときには第２動作モードに設定しておけば、待機時間を設定したことによる印刷処理の遅れなどを抑制できる。
【００４１】
（改変例）
（１）上記実施形態では、記録紙２としてファンフォールド紙を用いていたが、ロール紙などの他の長尺状の記録紙２を用いる場合も、同様の搬送制御を行うことができる。また、必ずしもミシン目があるものでなくてもよい。
【００４２】
（２）上記実施形態では、ブザー１２によりティアオフ動作の実行およびティアオフ状態に関する状態遷移をユーザーに知らせていたが、プリンター１にティアオフ表示ランプなどを設けておき、ティアオフ表示ランプの点灯によってティアオフ動作の実行やティアオフ状態に関する状態遷移をユーザーが確認できるようにしてもよい。
【００４３】
（３）上記実施形態では、第１動作モードと第２動作モードの２つの動作モードのどちらかを選択的に設定しているが、他の動作モードをさらに設定可能しておき、３以上の動作モードの中から選択的に設定できるようにしてもよい。他の動作モードとしては、例えば、印刷を終了してもティアオフ動作を行わず、ティアオフスイッチ１０ｂを押下したときのみティアオフ動作を行う動作モードなどが考えられる。このようにすれば、複数の印刷ジョブをまとめて行った後に各ミシン目を手で切断したい場合などにも対応できる。
【符号の説明】
【００４４】
１…プリンター、２…記録紙（記録媒体）、２ａ…ミシン目、２ｂ…印刷開始位置、３…搬送機構（搬送手段）、３Ａ、３Ｂ…紙送りローラー対、３Ｃ…紙送りモーター、４…記録紙排出口、５…プラテン、６…記録ヘッド（印刷手段）、７…カッター（切断手段）、８…制御部、９…センサー群、１０…操作部（操作手段）、１０ａ…ポーズスイッチ（印刷一時停止スイッチ）、１０ｂ…ティアオフスイッチ（ティアオフ動作の手動開始スイッチ）、１１…上位装置、１２…ブザー、Ａ…搬送経路、Ｂ…印刷位置、Ｃ…切断位置
【図１】
2011079215.tif 000003
【図２】
2011079215.tif 000004
【図３】
2011079215.tif 000005
【図４】
2011079215.tif 000006